(57)【要約】【課題】長手方向と直交する方向を正常な挿入方向とした記録媒体をローディングするものにおいて、長手方向を挿入方向として誤って記録媒体が挿入された場合に、その誤挿入された記録媒体が取り出せなくなることを防止できる。【解決手段】長手方向と直交する方向を正常な挿入方向としたカートリッジ１を挿入可能なものであって、カートリッジ１を所定の装着位置に移動させるローディング機構と、所定の装着位置に移動したカートリッジ１の外部接続部と接続されるコネクタ１８とを備えるとともに、カートリッジ１を長手方向を挿入方向とした誤挿入方向で挿入した場合に当接する当接部１８ａを備え、この当接部１８ａを、誤挿入方向で挿入されたカートリッジ１が当接した状態でそのカートリッジ１の一端部が挿入口５から突出する位置に設けた構成にしてある。【選択図】図１９
2006313583.tif 000002
【特許請求の範囲】
【請求項１】
長手方向と直交する方向を正常な挿入方向とした記録媒体を挿入可能なものであって、
上記記録媒体を所定の装着位置に移動させるローディング機構と、上記所定の装着位置に移動した上記記録媒体の外部接続部と接続されるコネクタとを備えるとともに、
上記記録媒体を長手方向を挿入方向とした誤挿入方向で挿入した場合に当接する当接部を備え、
この当接部は、上記誤挿入方向で挿入された上記記録媒体が当接した状態でその記録媒体の一端部が挿入口から突出する位置に設けられていることを特徴とする記録媒体装着装置。
【請求項２】
上記請求項１記載の発明において、
上記記録媒体を正常な挿入方向で挿入して上記コネクタと接続した際に、上記記録媒体の全体が上記挿入口より奥方へ入り込むように、上記記録媒体の収納空間を形成したことを特徴とする記録媒体装着装置。
【請求項３】
上記請求項１または２記載の発明において、
上記当接部は、上記コネクタに一体に形成されていることを特徴とする記録媒体装着装置。
【請求項４】
上記請求項１〜３のいずれか１項記載の発明において、
上記コネクタには、上記記録媒体の上記外部接続部と接触可能な端子部材が設けられており、上記当接部は、上記記録媒体を上記誤挿入方向で挿入した場合に上記記録媒体を上記端子部材に当接させない位置に設けられていることを特徴とする記録媒体装着装置。
【請求項５】
上記請求項３項記載の発明において、
上記当接部は上記コネクタのハウジングにおける左右両側部において突出形成されており、かつ、上記コネクタの端子部材と上記記録媒体の上記外部接続部とが接続される際の上記記録媒体に対するガイドを兼ねていることを特徴とする記録媒体装着装置。
【請求項６】
上記請求項２項記載の発明において、
上記挿入口には開閉扉が設けられていることを特徴とする記録媒体装着装置。
【発明の詳細な説明】
【技術分野】
【０００１】
本発明は、パソコン等の電子機器に設けられ、長方形をした記録媒体の着脱が可能な記録媒体装着装置に関する。
【背景技術】
【０００２】
挿入された記録媒体をローディングしてコネクタに接続させるローディング機構を備えた記録媒体装着装置として、従来、例えば特許文献１に示されるものがある。この従来技術では、挿入される記録媒体が長方形をなしており、長手方向が正常な挿入方向に設定されている。また、長手方向を横向きにした誤った挿入方向で挿入しようとした場合には、記録媒体が挿入口から入らず、したがって、このような記録媒体の挿入の向きに係る誤挿入は生じないようになっている。
【特許文献１】特開平８−２９３００８号公報
【発明の開示】
【発明が解決しようとする課題】
【０００３】
上述した従来技術では、長方形の記録媒体の長手方向が正常な挿入方向となっているので、記録媒体を横向きにしての誤挿入の問題は生じない。しかし、長手方向と直交する方向が正常な挿入方向と設定されている記録媒体を装着させる記録媒体装着装置の場合には、記録媒体の挿入する向きに係る誤挿入の問題を生じる。すなわち、このような記録媒体装着装置では、記録媒体が、誤って長手方向を挿入方向とされた場合にも、記録媒体の挿入が可能になってしまう。このように記録媒体が誤挿入された状態でローディング機構が起動すると、記録媒体が装置の奥方へ入り込み、取り出せなくなってしまう懸念がある。
【０００４】
本発明は、上述した従来技術における実状からなされたもので、その目的は、長手方向と直交する方向を正常な挿入方向とした記録媒体をローディングするものにおいて、長手方向を挿入方向として誤って記録媒体が挿入された場合に、その誤挿入された記録媒体が取り出せなくなることを防止できる記録媒体装着装置を提供することにある。
【課題を解決するための手段】
【０００５】
上記目的を達成するために、本発明は、長手方向と直交する方向を正常な挿入方向とした記録媒体を挿入可能なものであって、上記記録媒体を所定の装着位置に移動させるローディング機構と、上記所定の装着位置に移動した上記記録媒体の外部接続部と接続されるコネクタとを備えるとともに、上記記録媒体を長手方向を挿入方向とした誤挿入方向で挿入した場合に当接する当接部を備え、この当接部は、上記誤挿入方向で挿入された上記記録媒体が当接した状態でその記録媒体の一端部が挿入口から突出する位置に設けられていることを特徴としている。
【０００６】
このように構成した本発明は、記録媒体の長手方向を挿入方向とした誤挿入に際し、挿入された記録媒体が当接部に当接したとき、この記録媒体の一端部が挿入口から突出するので、その突出した部分を把持することによって誤挿入された記録媒体を容易に取り出すことができる。
【０００７】
また、本発明は、上記発明において、上記記録媒体を正常な挿入方向で挿入して上記コネクタと接続した際に、上記記録媒体の全体が上記挿入口より奥方へ入り込むように、上記記録媒体の収納空間を形成したことを特徴としている。このように構成した本発明は、正常な挿入方向で挿入された記録媒体は、挿入口から突出しないので、記録媒体に外力が加えられることを防止できる。
【０００８】
また、本発明は、上記発明において、上記当接部は、上記コネクタに一体に形成されていることを特徴としている。このように構成した本発明は、当接部がコネクタの一部を形成するので、当接部を他の独立した部品として設ける必要がなく、部品点数を抑えることができるとともに、構造の簡単化に貢献する。
【０００９】
また、本発明は、上記発明において、上記コネクタには、上記記録媒体の上記外部接続部と接触可能な端子部材が設けられており、上記当接部は、上記記録媒体を上記誤挿入方向で挿入した場合に上記記録媒体を上記端子部材に当接させない位置に設けられていることを特徴としている。このように構成した本発明は、向きを誤って挿入された記録媒体の誤挿入に際し、誤挿入された記録媒体の端子部材への接触を防止できるので、この端子部材の保護に貢献する。
【００１０】
また、本発明は、上記発明において、上記当接部は上記コネクタのハウジングにおける左右両側部において突出形成されており、かつ、上記コネクタの端子部材と上記記録媒体の上記外部接続部とが接続される際の上記記録媒体に対するガイドを兼ねていることを特徴としている。このように構成した本発明は、当接部が記録媒体をコネクタに接続する際のガイドを兼ねるので、他に特別なガイドを設ける必要がなく、したがって、部品数を抑えることができるとともに、構造の簡単化に貢献する。
【００１１】
また、本発明は、上記発明において、上記挿入口には開閉扉が設けられていることを特徴としている。このように構成した本発明は、開閉扉を閉じ状態に保つことにより、内部へのごみ等の侵入を防ぐことができる。
【発明の効果】
【００１２】
本発明は、長手方向と直交する方向を正常な挿入方向として記録媒体をローディングするものにおいて、長手方向を挿入方向として誤って記録媒体が挿入された場合には、当接部によって記録媒体の挿入を阻止できるとともに、記録媒体が当接部に当接したとき、挿入口から突出している記録媒体の部分を把持することによって記録媒体を容易に取り出すことができ、優れた使い勝手を有する。
【発明を実施するための最良の形態】
【００１３】
以下，本発明に係る記録媒体装着装置を実施するための最良の形態を図に基づいて説明する。
【００１４】
［本実施形態の構成］
図１は本発明に係る記録媒体装着装置の一実施形態にカートリッジが挿入された状態を示す図で、（ａ）図は平面図、（ｂ）図は側面図、（ｃ）図は正面図、図２は本実施形態に挿入されたカートリッジが所定の装着位置に装着された状態を示す平面図である。
【００１５】
これらの図１，２に示す本実施形態の記録媒体装着装置に挿入される記録媒体、すなわちカートリッジ１内にはハードディスクが収納されている。このカートリッジ１の左右両側部には、図２で示すように凹部１ａが形成されている。なお、記録媒体、すなわちハードディスクが収納されるカートリッジ１は、長手方向と直交する方向が正常な挿入方向として設定されている。
【００１６】
図３は本実施形態に備えられる筐体を形成する上ケースを示す図で、（ａ）図は平面図、（ｂ）図は側面図、（ｃ）図は正面図、図４は本実施形態に備えられる下ケースを示す図で、（ａ）図は平面図、（ｂ）図は側面図、（ｃ）図は正面図である。また、図５は本実施形態に備えられるスイッチ基板、及びスイッチを示す図で、（ａ）図は裏面図、（ｂ）図は側面図、図６は本実施形態に備えられるスライド部材を示す図で、（ａ）図は平面図、（ｂ）図は側面図、図７は本実施形態に備えられる係合部材を示す図で、（ａ）図は正面図、（ｂ）図は平面図、図８は本実施形態に備えられるコネクタと本実施形態に挿入される記録媒体を形成するカートリッジを示す図で、（ａ）図はコネクタの平面図、（ｂ）図はコネクタの側面図、（ｃ）図はカートリッジの平面図、（ｄ）図はカートリッジの側面図である。
【００１７】
上述の図１，２に示すように、本実施形態は、外殻を形成する筐体２を備え、この筐体２は上ケース３と、下ケース４とを備えるとともに、後述の図１６等に示すように、上面がカバー２ａで覆われている。筐体２にはカートリッジ１が挿入される挿入口５が形成されており、挿入口５には後述するように、この挿入口５を開閉可能な開閉扉２ｂが設けられている。
【００１８】
上ケース３は、図３に示すように、一方の側部にモータ取付部３ａを備えている。また、同図３の（ａ）図に示すように、カートリッジ１の装着方向に沿って、一対のガイド溝３ｂ１，３ｂ２を延設してある。奥側位置には、上下方向に貫通する円弧穴３ｃを形成してある。円弧穴３ｃの手前側位置には、図３の（ｃ）図に示すように、上方に突出する軸３ｄを備えている。また、挿入口５側には、左右両側部のそれぞれに、金属製の板ばねから成り、カートリッジ１を付勢する付勢部材１０と、この付勢部材１０の先端に取り付けられ、カートリッジ１の上面に接触するローラ部材１１とを備えている。
【００１９】
下ケース４は、図４に示すように、左右両側部のそれぞれにカートリッジ１を案内するガイド部材１２を備えている。これらのガイド部材１２の挿入口５側付近には、同図４の（ｂ）図に示すように、上部ガイド面１２ａと、この上部ガイド面１２ａに連設される下部ガイド面１２ｂとを形成してある。上部ガイド面１２ａが手前側に位置し、下部ガイド面１２ｂが奥側に位置している。また、この下ケース４の奥側位置には、カートリッジ１が接続されるコネクタ１８を配置してある。
【００２０】
上述の図１，２に示すように、上ケース３のモータ取付部３ａには、駆動手段を形成する駆動モータ１３を取り付けてある。上ケース３の上面側には、駆動モータ１３の駆動によって回転する回転板１７と、この回転板１７と連動するアーム部材２３と、アーム部材２３の上方に位置するスイッチ基板１９を装着してある。
【００２１】
上ケース３の下面側には、装着方向に移動可能に設けられ、カートリッジ１を引き込むスライド部材６を装着してある。なお、後述するが、上ケース３とスライド部材６との間には、装着方向に移動可能なダンパ部材８を配置してある。
【００２２】
図９〜１５は本実施形態の動作を示す図であるが、これらの図９〜１５も用いて、本実施形態の構成を説明する。
【００２３】
図９は本実施形態の動作のうちの特に、本実施形態にカートリッジが挿入されたときの状態を示す要部の平面透視図、図１０は本実施形態の動作のうちの特に、本実施形態に挿入されたカートリッジが押し込まれ、ローディングが開始されたときの状態を示す要部の平面透視図である。図１１は本実施形態の動作のうちの特に、本実施形態に挿入されたカートリッジが所定の装着位置に向って移動するローディング途中の状態を示す要部の平面透視図、図１２は本実施形態の動作のうちの特に、本実施形態に挿入されたカートリッジが所定の装着位置に装着された状態を示す要部の平面透視図である。
【００２４】
また、図１３は本実施形態の動作のうちの特に、本実施形態に備えられるスライド部材、及びこのスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。図１４は本実施形態の動作のうちの特に、本実施形態に備えられるスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。図１５は本実施形態の動作のうちの特に、スライド部材と、規制アーム部を有するアーム部材との係合関係を示す図で、（ａ）図はアーム部材の規制アーム部によってスライド部材の移動が規制された初期待機状態を示す要部の平面透視図、（ｂ）図は規制アーム部によるスライド部材の移動に対する規制が解除された状態を示す要部の平面透視図である。
【００２５】
図９に示すように、駆動モータ１３の駆動によりウォーム１４が回転し、このウォーム１４の回転によってウォームホイール１５及びギヤ１５ａが回転し、ギヤ１５ａの回転によってギヤ１６ａ及びギヤ１６が回転する。ギヤ１６の回転によって、このギヤ１６と噛み合うギヤ部１７ａを有する回転板１７が、中心軸１７ｃを中心に回転する。
【００２６】
回転板１７には下方に突出し、図３に示す円弧穴３ｃに挿通する摺動突起１７ｂが取り付けられている。また、この回転板１７の下面には、カム溝１７ｅが形成されている。このカム溝１７ｅは各図にあっては実線で描かれているが、実際は回転板１７の下面に形成されている。このカム溝１７ｅは、図９等に示すように、半径の大きい大径部１７ｅ１と、この大径部１７ｅ１に連設され、この大径部１７ｅ１よりも半径の小さい中径部１７ｅ２と、この中径部１７ｅ２に連設され、この中径部１７ｅ２よりも半径の小さい小径部１７ｅ３とを有する。
【００２７】
上述のように上ケース３の下面側に配置されるスライド部材６は、図９等に示すように、装着方向と直交する方向に延設して形成され回転板１７の摺動突起１７ｂが係合する摺動溝６ｄを有している。また、この摺動溝６ｄの一側端を、図１の矢印１７ｄで例示するように、回転板１７の中心軸１７ｃを超えて僅かに膨出させ、図９等に示すように、この一側端に膨出領域６ｅを形成させてある。この膨出領域６ｅは、回転板１７の摺動突起１７ｂの軌跡に沿う形状に形成してある。
【００２８】
また、図９等に示すように、このスライド部材６の左右両側部のそれぞれには、図７に示す係合部材７を取り付けてある。この係合部材７は図６に示すスライド部材の軸６ａに回動可能に取り付けられ、図１３の（ａ）図、図１４の（ａ）図に例示するように、ばね部材３０によって下向き方向に付勢されている。この係合部材７の先端部には、上述したカートリッジ１の左右両側部に形成された凹部１ａに係合可能な突起７ａを備えている。なお、この係合部材７の突起７ａは、上述した図４に示すガイド部材１２の上部ガイド面１２ａと下部ガイド面１２ｂに沿って案内されるようになっている。すなわち、ガイド部材１２は、係合部材７の突起７ａを案内するガイド部材も兼ねている。
【００２９】
また、スライド部材６は図６等に示すように、上ケース３のガイド溝３ｂ１，３ｂ２のそれぞれに係合するガイド突起６ｃ１，６ｃ２を有すると共に、装着方向に延設される一対のガイド溝６ｂ１，６ｂ２を有している。
【００３０】
上述した図９等に示すウォーム１４、ウォームホイール１５、ギヤ１５ａ，１６ａ，１６、回転板１７、この回転板１７に設けた摺動突起１７ｂ、およびスライド部材６に形成され、摺動突起１７ｂが係合する膨出領域６ｅを有する摺動溝６ｄは、駆動モータ１３の回転力を直線運動に変換してスライド部材６に伝える動力伝達機構を構成している。
【００３１】
図１，２に示すように、上ケース３に装着され、アーム部材２３の上方に配置されるスイッチ基板１９は、図５に示すように、第１スイッチ２０と、第２スイッチ２１と、第３スイッチ２２とを備えている。説明を分かりやすくするために、図６，９等では、これらのスイッチ２０〜２２を実線で描いてあるが、実際には、これらのスイッチ２０〜２２はスイッチ基板１９の裏面に取り付けられている。
【００３２】
スライド部材６の上面側、すなわち上ケース３とスライド部材６との間には、ダンパ部材８を配置してある。このダンパ部材８は下向きに突出する一対のガイド突起８ｂ１，８ｂ２を備え、これらのガイド突起８ｂ１，８ｂ２のそれぞれは、スライド部材６のガイド溝６ｂ１，６ｂ２に係合している。また、このダンパ部材８は、図６，９等に示すように、上述の第１スイッチ２０を操作する作動片８ｃを備えている。このダンパ部材８の下方に突出する係合部８ａがカートリッジ１の前端部１ｂで押圧されて、このダンパ部材８が移動することによって、例えば第１スイッチ２０がオンからオフとなるように設定してある。
【００３３】
また、図６等に示すように、一端をスライド部材６に連結され、他端をダンパ部材８に連結されるばね部材９を備えている。
【００３４】
また、本実施形態は、上述したようにアーム部材２３を備えている。このアーム部材２３は、上述した上ケース２３の軸３ｄに回動可能に装着され、上方向に突出して上述した回転板１７のカム溝１７ｅに係合するピン２３ｃを有している。このアーム部材２３は、スイッチ基板１９の第２スイッチ２１及び第２スイッチ２２を操作するスイッチアーム部２３ａと、規制アーム部２３ｂとを一体に設けた構成にしてある。規制アーム部２３ｂは、図９に示すように、スライド部材６に設けた上述のガイド突起６ｃ２に係合、離脱可能に配置されている。
【００３５】
上述したスイッチ基板１９に設けた第１スイッチ２０、第２スイッチ２１、第３スイッチ２２と、作動片８ｃを有するダンパ部材８と、回転板１７のカム溝１７ｅと、アーム部材２３のスイッチアーム部２３ａ及びピン２３ｃとによって、駆動モータ１３を始動させるスイッチ手段が構成されている。このスイッチ手段は、カートリッジ１の凹部１ａがスライド部材６に取り付けた係合部材７の突起７ａの待機位置を装着方向へ通過した状態で、駆動モータ１３を始動させてスライド部材６を移動させ、係合部材７の突起７ａを手前から移動させてカートリッジ１の凹部１ａに係合させるものから成っている。
【００３６】
上述した動力伝達機構、スイッチ手段、駆動モータ１３、及びスライド部材６によってカートリッジ１を所定の装着位置に移動させるローディング機構が構成されている。
【００３７】
また、上述した回転板１７のカム溝１７ｅと、アーム部材２３のピン２３ｃ及び規制アーム部２３ｂと、スライド部材６に設けたガイド突起８ｂ２とによって、回転板１７の摺動突起１７ｂがスライド部材６の摺動溝６ｄの膨出領域６ｅに位置した際のスライド部材６のがたつきを規制する規制機構が構成されている。
【００３８】
また特に、本実施形態は、カートリッジ１をその長手方向を挿入方向とした誤挿入方向で挿入した場合に当接する当接部を備え、この当接部は、誤挿入方向で挿入されたカートリッジ１が当接した状態でカートリッジ１の一端部が挿入口５から突出する位置となるように構成してある。上述の当接部は、例えば図８の符号１８ａで示すように、カートリッジ１の外部接続部と接続されるコネクタ１８を形成するハウジングの左右両側部において突出するように、このコネクタ１８に一体に設けてある。
【００３９】
この当接部１８ａは、カートリッジ１を誤挿入方向で挿入した場合に、記録媒体すなわちカートリッジ１をコネクタ１８の端子部材に当接させない位置に設けられている。
【００４０】
また、当接部１８ａは、コネクタ１８の端子部材と、カートリッジ１の外部接続部とが接続される際のカートリッジ１に対するガイドも兼ねている。
【００４１】
さらに、本実施形態は、カートリッジ１を正常な挿入方向で挿入してコネクタ１８と接続した際に、カートリッジ１の全体が挿入口５より奥方へ入り込むように、カートリッジ１の収納空間を形成してある。
【００４２】
［本実施形態の動作］
上述のように構成した本実施形態の動作を主に図９〜１５に基づいて説明する。
【００４３】
［待機状態］
本実施形態にカートリッジ１が挿入されていない状態では、スライド部材６は、筐体２の挿入口５に最も近い位置に保持され、図１５の（ａ）図に示すように、アーム部材２３の規制アーム部２３ｂがスライド部材６のガイド突起６ｃ２と係合した状態にある。これによって、回転板１７の摺動突起１７ｂがスライド部材６の摺動溝６ｄの膨出領域６ｅ付近に位置し、この摺動突起１７ｂの周囲に微小な間隙が形成されるにも拘わらず、スライド部材６はがたつきを生じることなく保持される。このとき、アーム部材２３のピン２３ｃは、回転板１７のカム溝１７ｅの大径部１７ｅ１に位置している。
【００４４】
また、スライド部材６に取り付けられた係合部材７の突起７ａは、図４の（ｂ）図に示すガイド部材の上部ガイド面１２ａに位置している。
【００４５】
ダンパ部材８も、例えばばね部材９の付勢力によって、挿入口５に最も近い位置に保持されている。
【００４６】
また、スイッチ基板１９の第１スイッチ２０は、ダンパ部材８の作動片８ｃが係合することによりオンとなっており、第２スイッチ２１もアーム部材２３のスイッチアーム部２３ａが係合することによりオンとなっている。第３スイッチ２２はスイッチアーム部２３ａが係合していないのでオフとなっている。
【００４７】
なお、この待機状態にあっては、後述の図１６等において示す挿入口５の開閉扉２ｂは閉じられた状態に保たれている。
【００４８】
［カートリッジの挿入動作］
このような状態から、図１，９，図１３の（ａ）図、図１４の（ａ）図に示すように、筐体２の挿入口５からカートリッジ１を、長手方向と直交する方向を挿入方向とする正しい挿入方向で挿入すると、図９に示すように、カートリッジ１の前端部１ｂがダンパ部材８の係合部８ａに係合し、カートリッジ１の押し込み操作に伴って、ダンパ部材８がばね部材９のばね力に抗して、そのガイド突起８ｂ１，８ｂ２がスライド部材６のガイド溝６ｂ１，６ｂ２に案内されながら装着方向に移動する。
【００４９】
図１０、図１３の（ｂ）図、図１４の（ｂ）図に示すように、カートリッジ１の凹部１ａがスライド部材６の係合部材７の突起７ａの待機位置を超える所定距離まで押し込まれると、ダンパ部材８の作動片８ｃと第１スイッチ２０との係合が解かれ、第１スイッチ２０がオフ、第２スイッチ２１がオン、第３スイッチ２２がオフの状態となって駆動モータ１３が始動する。
【００５０】
駆動モータ１３の回転により、ウォーム１４、ウオームホイール１５、ギヤ１５ａ，１６ａ，１６、回転板１７のギヤ部１７ａを介して回転板１７が図９において左回りに回転する。これによって、アーム部材２３のピン２３ｃが、回転板１７のカム溝１７ｅの大径部１７ｅ１から中径部１７ｅ２に移動すると共に、回転板１７の摺動突起１７ｂがスライド部材６の摺動溝６ｄ内を図１０の右方向に移動する。
【００５１】
上述したピン２３ｃが回転板１７のカム溝１７ｅの中径部１７ｅ２に移動することにより、アーム部材２３の規制アーム部２３ｂが、軸３ｄを中心に図１０において右回りに回動し、この規制アーム部２３ｂとスライド部材６のガイド突起６ｃ２との係合が図１５の（ｂ）図に示すように解かれる。また、このときスイッチアーム部２３ａと第２スイッチ２１との係合が解かれ第２スイッチ２１はオフとなる。この状態において、上述のように回転板１７の摺動突起１７ｂが回転板１７の回転に伴ってスライド部材６の摺動溝６ｄ内を図１０において右方向に移動することにより、スライド部材６はガイド突起６ｃ１，６ｃ２が上ケース３のガイド溝３ｂ１，３ｂ２にそれぞれ案内されながら所定の装着位置に向かって移動する。
【００５２】
この間、回転板１７の回転に伴って回転板１７の摺動突起１７ｂがスライド部材６の摺動溝６ｄ内を往復動し、摺動突起１７ｂが摺動溝６ｄの縁部に係合することにより、スライド部材６は装着方向にさらに移動する。なお、回転板１７が初期待機位置から略９０°回転したとき、摺動突起１７ｂは摺動溝６ｄの右端に至る。さらに回転板１７が９０°回転すると、すなわち初期待機位置から略１８０°回転したとき、摺動突起１７ｂは摺動溝６ｄの右端から左端方向へその移動方向を変え、遂には摺動溝６ｄの左端の膨出領域６ｅ付近に至り、図１２、図１３の（ｄ）図、及び図１４の（ｄ）図に示すように、カートリッジ１が所定の装着位置まで移送され、このカートリッジ１は、筐体２内のコネクタ１８に接続される。
【００５３】
上述した操作の間、回転板１７の回転に伴って回転板１７のカム溝１７ｅに係合するピン２３ｃが、カム溝１７ｅの中径部１７ｅ２から小径部１７ｅ３へと移動し、アーム部材２３のスイッチアーム部２３ａが第３スイッチ２２に係合する。すなわち、第１スイッチ２０がオフ、第２スイッチ２１がオフ、第３スイッチ２２がオンの状態となる。このようなスイッチ状態になったとき駆動モータ１３は停止する。これによって、回転板１７の回転が停止し、スライド部材６の移動が停止し、カートリッジ１は所定の装着位置に保持される。この所定の装着位置において、筐体２のコネクタ１８を介してカートリッジ１内のハードディスクに対する信号の送受信が可能となる。
【００５４】
［カートリッジの排出操作］
排出時には、図示しないイジェクト釦を操作することにより、駆動モータ１３が反転し、上述の逆の動作によってカートリッジ１が排出される。
【００５５】
すなわち、駆動モータ１３の駆動によって、回転板１７が挿入時とは反対の右回りに回転し、回転板１７の摺動突起１７ｂがスライド部材６の摺動溝６ｄ内を往復動すると共に、アーム部材２３のピン２３ｃが回転板１７のカム溝１７ｅ内を小径部１７ｅ３→中径部１７ｅ２→大径部１７ｅ１へと移動する。
【００５６】
上述した摺動突起１７ｂの移動により、スライド部材６が排出方向に移動し、係合部材７を介してカートリッジ１もコネクタ１８から離脱するようにして排出方向へ移動する。
【００５７】
図９に示すように、アーム部材２３のスイッチアーム部２３ａが第２スイッチ２１に係合し、ダンパ部材８の作動片８ｃが第１スイッチ２０に係合した状態、すなわちイジェクト釦が押された後に、第１スイッチ２０がオン、第２スイッチ２１がオン、第３スイッチ２２がオフとなると、駆動モータ１３が停止する。
【００５８】
この間、スライド部材６の係合部材７の突起７ａが図１３の（ａ）図、図１４の（ａ）図に示すばね３０のばね力に抗して、ガイド部材１２の下部ガイド面１２ｂから上部ガイド面１２ａへと案内されることにより、カートリッジ１の凹部１ａのそれぞれから離脱する。また、アーム部材２３の規制アーム部２３ｂがスライド部材６のガイド突起６ｃ２に係合し、スライド部材６の移動が規制される。さらに、ばね部材９のばね力によってダンパ部材８が排出方向に移動する。この状態においてカートリッジ１を抜き取ることができる。
【００５９】
［カートリッジの誤挿入］
図１６は本実施形態にカートリッジが正常に挿入されたときのカートリッジとコネクタの位置関係を示す平面透視図、図１７は本実施形態にカートリッジが正常に挿入され、このカートリッジが所定の装着位置に装着されたときのカートリッジとコネクタとの位置関係を示す平面透視図、図１８は図１７の要部を拡大して示した図、図１９は本実施形態にカートリッジが縦横の方向を誤って挿入されたときのカートリッジとコネクタとの位置関係を示す平面透視図である。
【００６０】
図１６に示すように、カートリッジ１の長手方向と直交する方向を挿入方向とした正しい挿入方向でこのカートリッジ１が挿入された場合には、挿入口５の開閉扉２ｂがカートリッジ１の挿入動作に伴って開かれるとともに、図１７，１８に示すように、挿入されたカートリッジ１がコネクタ１８の一対の当接部１８によってガイドされ、このカートリッジ１の前端部１ｂがコネクタ１８の段部１８ｂに近接した状態となり、カートリッジ１の外部接続部がコネクタ１８の端子部材に接続される。これによって上述のように、カートリッジ１内のハードディスクに対する信号の送受信が可能となる。
【００６１】
これに対して図１９に示すように、カートリッジ１の長手方向を挿入方向として挿入する向きを誤ってカートリッジ１が誤挿入された場合には、カートリッジ１がコネクタ１８の一対の当接部１８ａに当接する。この状態では、カートリッジ１はコネクタ１８の段部１８ｂから離れた位置に保たれ、したがってコネクタ１８の端子部材に当接することがない。また、カートリッジ１の一端部が挿入口５から突出するように保たれる。これにより、挿入する向きを誤ってカートリッジ１が挿入されていることに確実に気付かされる。
【００６２】
［本実施形態の効果］
以上のように、本実施形態によれば、駆動モータ１３を駆動することにより動力伝達機構に含まれる回転板１７が回転し、この回転板１７に設けられた摺動突起１７ｂが、スライド部材６の摺動溝６ｄ内を往復動し、これによってスライド部材６が装着方向へ移動し、スライド部材６に設けた係合部材７の突起７ａがカートリッジ１の凹部１ａに係合し、このカートリッジ１がスライド部材６と共に所定の装着位置まで移動し、コネクタ１８に接続される。また、排出時には、スライド部材６の排出方向への移動に伴って、カートリッジ１がコネクタ１８から離脱してスライド部材６と共に排出方向へ移動し、所定位置で係合部材の突起７ａをカートリッジ１の凹部１ａから離脱させることにより、カートリッジ１の抜き取りが可能となる。すなわち、カートリッジ１を自動的に移動させて筐体２内のコネクタ１８に着脱させることができ、使い勝手を良くすることができる。
【００６３】
また、カートリッジ１の長さ寸法に対応させてスライド部材６の移動ストロークを考慮することにより、図２に示すように、筐体２に挿入されたカートリッジ１を突出することなく筐体２内に収納させることができる。これにより使用状態においてカートリッジ１に衝撃が加えられる懸念がなく、カートリッジ１内のハードディスクの保護を実現できる。
【００６４】
また、駆動モータ１３の回転力を、スライド部材６の直線運動として伝える動力伝達機構が、回転板１７と、この回転板１７に設けた摺動突起１７ｂと、スライド部材６に設けた摺動溝６ｄを含むが、これらの回転板１７、摺動突起１７ｂ、及び摺動溝６ｄは簡単な形状に形成できる。したがって、構造が簡単なローディングメカとすることができる。
【００６５】
また、カートリッジ１の引きこみ動作を、スライド部材６に設けられカートリッジ１の凹部１ａに係合する突起７ａを有する係合部材７を介して実現でき、この係合部材７はカートリッジ１の凹部１ａに適合する形状であればよく、したがって、この係合部材７を含めてカートリッジ１の引き込み動作を実現させる構造を簡単なものにすることができる。
【００６６】
また、スライド部材６に取り付けた係合部材７の突起７ａをカートリッジ１の凹部１ａに係合させて、スライド部材６で直接にカートリッジ１を所定の装着位置まで移動させて、カートリッジ１とコネクタ１８とを接続させるようにしてあることから、カートリッジ１とコネクタ１８とを強い力で接続させることができ、これによって信号の送受信に対する信頼性の高い装置とすることができる。
【００６７】
また、スイッチ手段によって、係合部材７の突起７ａをカートリッジ１の手前から移動させてその凹部１ａに係合させるようにしてあるので、その凹部１ａ内に確実に係合部材７の突起７ａを係合させることができる。これによって、スライド部材６と共にカートリッジ１を確実に引き込むことができる。すなわち、挿入されたカートリッジ１を所定の装着位置まで引き込むに際し、スイッチ手段によってスライド部材６が移動しているときにカートリッジ１が抜かれる方向に引っ張られても、係合部材７がカートリッジ１の凹部１ａに係合しているためにカートリッジ１は抜かれてしまうことがなく、所定の装着位置までカートリッジ１を確実に引き込むことができる。これによっても信頼性の高い装置とすることができる。
【００６８】
さらに、回転板１７が１／２回転、すなわち１８０°回転する間に、この回転板１７に設けた摺動突起１７ｂがスライド部材６の摺動溝６ｄ内を往復動しながら、この摺動突起１７ｂによってスライド部材６が装着方向へ、あるいは排出方向へ移動することから、回転板１７の直径に相応する領域全部をスライド部材６の移動領域とすることができる。すなわち、回転板１７の全体をスライド部材６を移動させるために活用でき、無駄なスペースを要さずに小型のローディングメカとすることができる。
【００６９】
すなわち、本実施形態は、構造が簡単で小型のローディングメカとすることができるので、製作費を抑え、装置の小型化を実現でき、実用性の高い装置とすることができる。
【００７０】
また、回転板１７の直径領域の全部をスライド部材６の移動ストロークの確保のために活用する場合、回転板１７を正確に１／２回転、すなわち１８０°回転させた位置で停止させることは技術的に難しい。本実施形態は、スライド部材６の摺動溝６ｄの一側端に膨出領域６ｅを設け、回転板１７の摺動突起１７ｂが、この膨出領域６ｅまで移動可能にしたこと、すなわち回転板１７の１／２回転以上の回転を可能にしたことから、回転板１７の直径領域の全部をスライド部材６の移動ストロークの確保のために活用できる。
【００７１】
また、スライド部材６が移動を開始する前、すなわち初期待機位置に保持されているときには、回転板１７の摺動突起１７ｂは、スライド部材６の摺動溝６ｄの一側端に設けられた膨出領域６ｅ付近に位置する。また、膨出領域６ｅは摺動突起１７ｂの軌跡に沿うように形成されることから、この膨出領域６ｅ内において回転板１７の摺動突起１７ｂの周りに微小な空隙部が形成されてしまう。これによって、初期待機位置においてスライド部材６にがたつきを生じる懸念があるが、本実施形態では、回転板１７のカム溝１７ｅと、このカム溝１７ｅに係合するピン２３ｃを有するアーム部材２３の規制アーム部２３ｂとを含む規制機構を備えたことから、初期待機位置におけるスライド部材６のがたつきを簡単な構造で規制でき、スライド部材６を初期待機位置に精度良く位置決めすることができる。
【００７２】
また、駆動モータ１３を制御するスイッチ手段を作動させるスイッチアーム部２３ａと、スライド部材６の動きを規制する規制アーム部２３ｂとを一体に設けたことから部品数を少なくすることができる。
【００７３】
また、下ケース４にコネクタ１８、ガイド部材１２等の静止部品を配置し、上ケース３にスライド部材６、動力伝達機構等の可動部品、及びこれらの可動部品を駆動する駆動モータ１３を配置したことから、組立てが容易である。
【００７４】
また、カートリッジ１の凹部１ａに対して係脱する係合部材７の突起７ａを案内するガイド部材１２は、上部ガイド面１２ａと下部ガイド面１２ｂを有する単純な段差形状とすればよいので、このガイド部材１２の構造を簡単にすることができる。また、装置の幅方向に対するガイド部材１２の配置領域を小さくすることができ、これにより装置の幅寸法を小さく抑えることができ、装置の小型化に貢献する。
【００７５】
また、カートリッジ１の挿入時には、カートリッジ１の挿入動作に連動するダンパ部材８を介して、すなわち、スライド部材６とダンパ部材８とを連結するばね部材９の弾性力に抗するようにカートリッジ１を挿入した状態において、スイッチング手段がスイッチングするので、ばね部材９の弾性力に相応した良好な挿入感触が得られる。
【００７６】
また、本実施形態は、筐体２内に挿入されたカートリッジ１の上面に、付勢部材１０の付勢力をローラ部材１１を介して与えることができるので、筐体２に挿入されたカートリッジ１のがたつきを防止できると共に、筐体２内に挿入されたカートリッジ１の凹部１ａに係合部材７の突起７ａを確実に係合させることができ、優れたローディング機能を確保できる。
【００７７】
そして特に、本実施形態は、長手方向を挿入方向として誤って挿入口５へカートリッジ１が挿入された場合には、コネクタ１８の当接部１８ａによってカートリッジ１の挿入を阻止できるとともに、カートリッジ１が当接部１８ａに当接したとき、図１９に示すように、挿入口５から突出しているカートリッジ１の部分を把持することによってそのカートリッジ１を容易に取り出すことができ、優れた使い勝手を有する。
【００７８】
また、カートリッジ１を正常な挿入方向で挿入してコネクタ１８を接続した際に、カートリッジ１の全体が挿入口５より奥方へ入り込むように、カートリッジ１の収納空間を形成してあることから、正常な挿入方向で挿入されたカートリッジ１は、挿入口５から突出しないので、カートリッジ１に外力が加えられることを防止でき、カートリッジ１の保護に貢献する。
【００７９】
また、当接部１８ａはコネクタ１８の一部を形成するものであるので、このような当接部１８ａを他の独立した部品として設ける必要がなく、部品数を抑えることができるとともに、構造の簡単化に貢献し、製作コストを低減させることができる。
【００８０】
また、コネクタ１８の当接部１８ａは、カートリッジ１を誤挿入方向で挿入した場合にそのカートリッジ１をコネクタ１８の端子部材に当接させない位置に設けられていることから、向きを誤って挿入されたカートリッジ１の誤挿入に際し、誤挿入されたカートリッジ１のコネクタ１８の端子部材への接触を防止でき、このコネクタ１８の端子部材の保護に貢献する。これにより、装置の信頼性を高めることができる。
【００８１】
また、コネクタ１８の当接部１８ａが、カートリッジ１をコネクタ１８に接続する際のカートリッジ１に対するガイドを兼ねるので、他に特別なガイドを設ける必要がなく、したがって、部品数を抑えることができるとともに、構造の簡単化に貢献する。これによっても製作コストを低減させることができる。
【００８２】
さらに本実施形態は、挿入口５に開閉扉２ｂを備えており、上述したように、カートリッジ１が挿入されない待機状態では挿入口５がこの開閉扉２ｂによって閉じられた状態に保たれる。したがって、この開閉扉２ｂによって内部へのごみ等の侵入を防ぐことができ、これによっても信頼性の高い装置とすることができる。
【図面の簡単な説明】
【００８３】
【図１】本発明に係る記録媒体装着装置の一実施形態にカートリッジが挿入された状態を示す図で、（ａ）図は平面図、（ｂ）図は側面図、（ｃ）図は正面図である。
【図２】本実施形態に挿入されたカートリッジが所定の装着位置に装着された状態を示す平面図である。
【図３】本実施形態に備えられる筐体を形成する上ケースを示す図で、（ａ）図は平面図、（ｂ）図は側面図、（ｃ）図は正面図である。
【図４】本実施形態に備えられる下ケースを示す図で、（ａ）図は平面図、（ｂ）図は側面図、（ｃ）図は正面図である。
【図５】本実施形態に備えられるスイッチ基板、及びスイッチを示す図で、（ａ）図は裏面図、（ｂ）図は側面図である。
【図６】本実施形態に備えられるスライド部材を示す図で、（ａ）図は平面図、（ｂ）図は側面図である。
【図７】本実施形態に備えられる係合部材を示す図で、（ａ）図は正面図、（ｂ）図は平面図である。
【図８】本実施形態に備えられるコネクタと本実施形態に挿入される記録媒体を形成するカートリッジを示す図で、（ａ）図はコネクタの平面図、（ｂ）図はコネクタの側面図、（ｃ）図はカートリッジの平面図、（ｄ）図はカートリッジの側面図である。
【図９】本実施形態の動作のうちの特に、本実施形態にカートリッジが挿入されたときの状態を示す要部の平面透視図である。
【図１０】本実施形態の動作のうちの特に、本実施形態に挿入されたカートリッジが押し込まれ、ローディングが開始されたときの状態を示す要部の平面透視図である。
【図１１】本実施形態の動作のうちの特に、本実施形態に挿入されたカートリッジが所定の装着位置に向って移動するローディング途中の状態を示す要部の平面透視図である。
【図１２】本実施形態の動作のうちの特に、本実施形態に挿入されたカートリッジが所定の装着位置に装着された状態を示す要部の平面透視図である。
【図１３】本実施形態の動作のうちの特に、本実施形態に備えられるスライド部材、及びこのスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。
【図１４】本実施形態の動作のうちの特に、本実施形態に備えられるスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。
【図１５】本実施形態の動作のうちの特に、スライド部材と、規制アーム部を有するアーム部材との係合関係を示す図で、（ａ）図はアーム部材の規制アーム部によってスライド部材の移動が規制された初期待機状態を示す要部の平面透視図、（ｂ）図は規制アーム部によるスライド部材の移動に対する規制が解除された状態を示す要部の平面透視図である。
【図１６】本実施形態にカートリッジが正常に挿入されたときのカートリッジとコネクタの位置関係を示す平面透視図である。
【図１７】本実施形態にカートリッジが正常に挿入され、このカートリッジが所定の装着位置に装着されたときのカートリッジとコネクタとの位置関係を示す平面透視図である。
【図１８】図１７の要部を拡大して示した図である。
【図１９】本実施形態にカートリッジが縦横の方向を誤って挿入されたときのカートリッジとコネクタとの位置関係を示す平面透視図である。
【符号の説明】
【００８４】
１    カートリッジ
１ａ  凹部
１ｂ  前端部
２    筐体
２ａ  カバー部材
２ｂ  開閉扉
３    上ケース
３ａ  モータ取付部
４    下ケース
５    挿入口
６    スライド部材
６ｄ  摺動溝（動力伝達機構）
６ｅ  膨出領域
７    係合部材
７ａ  突起
８    ダンパ部材
８ａ  係合部
８ｃ  作動片（スイッチ手段）
９    ばね部材
１０    付勢部材
１１    ローラ部材
１２    ガイド部材
１２ａ  上部ガイド面
１２ｂ  下部ガイド面
１３    駆動モータ（駆動手段）
１４    ウォーム（動力伝達機構）
１５    ウォームホイール（動力伝達機構）
１５ａ  ギヤ（動力伝達機構）
１６    ギヤ（動力伝達機構）
１６ａ  ギヤ（動力伝達機構）
１７    回転板（動力伝達機構）
１７ａ  ギヤ部
１７ｂ  摺動突起（動力伝達機構）
１７ｃ  中心軸
１７ｅ  カム溝（スイッチ手段）（規制機構）
１８    コネクタ
１８ａ  当接部
１８ｂ  段部
１９    スイッチ基板（スイッチ手段）
２０    第１スイッチ（スイッチ手段）
２１    第２スイッチ（スイッチ手段）
２２    第３スイッチ（スイッチ手段）
２３    アーム部材
２３ａ  スイッチアーム部（スイッチ手段）
２３ｂ  規制アーム部（規制機構）
２３ｃ  ピン（スイッチ手段）（規制機構）
【図１】
2006313583.tif 000003
【図２】
2006313583.tif 000004
【図３】
2006313583.tif 000005
【図４】
2006313583.tif 000006
【図５】
2006313583.tif 000007
【図６】
2006313583.tif 000008
【図７】
2006313583.tif 000009
【図８】
2006313583.tif 000010
【図９】
2006313583.tif 000011
【図１０】
2006313583.tif 000012
【図１１】
2006313583.tif 000013
【図１２】
2006313583.tif 000014
【図１３】
2006313583.tif 000015
【図１４】
2006313583.tif 000016
【図１５】
2006313583.tif 000017
【図１６】
2006313583.tif 000018
【図１７】
2006313583.tif 000019
【図１８】
2006313583.tif 000020
【図１９】
2006313583.tif 000021